(57)【要約】【課題】ズーミング操作を犠牲にすることなく、カメラの厚みを薄く、かつ高さを低くする。【解決手段】シャッタボタン２０の下方部に第１プリント基板３５と第２プリント基板３６とを層状に設け、第１プリント基板３５には、ＶＥＩ処理用スイッチ４１やその他の各種部品を実装し、また第２プリント基板３６の上面には、レリーズスイッチ４６とズームスイッチ５０を実装した。ズームスイッチ５０は、第２プリント基板３６の上面に形成したプリント接片３６ｄ等と、これらに摺動されるほぼＴ字型をしたブラシ状接片４８とによって構成され、ブラシ状接片４８はズームレバー２２の端部２２ａと反対側の端部に固定されている。カメラ本体を把持した右手の親指でズームレバー２２を左右に動かすことによりブラシ状接片４８が回動し、ブラシ状接片４８とプリント接片３６ｄ等との接触状態が変化してズーミングが行われる。【選択図】        図２
2005274718.tif 000002
【特許請求の範囲】
【請求項１】
シャッタレリーズ時に押下操作されるシャッタボタンと、このシャッタボタンの押下方向に対して直交する方向に変位することにより撮影レンズのズーミングを行うズームレバーとを備えたカメラにおいて、
前記シャッタボタンの下方に層状に基板を設け、前記基板のうち１枚の特定基板の上面に、前記シャッタボタンの押下操作によってオンされるレリーズスイッチと、前記ズームレバーの変位に連動して撮影レンズのズーミングを行うズームスイッチとを設けるとともに、前記ズームスイッチは、前記特定基板の上面に形成された複数個のプリント接片と、前記ズームレバーの変位に伴ってプリント接片上を摺動するブラシ状接片とからなることを特徴とするカメラ。
【請求項２】
前記基板のうち前記特定基板とは別の層の基板に、フイルムカートリッジに組み込まれた使用状態表示板をフイルムカートリッジの使用状態に応じた位置にセットするＶＥＩ処理に用いられ、前記使用状態表示板の回転角度の基準位置を特定するＶＥＩ処理用スイッチを設けたことを特徴とする請求項１記載のカメラ。
【発明の詳細な説明】
【技術分野】
【０００１】
本発明は、カメラに関し、更に詳しくは、コンパクトタイプのカメラに関するものである。
【背景技術】
【０００２】
コンパクトタイプのカメラが多く市販されている。特に、アドバンストフォトシステムに準拠したカメラ（以下、特に他のカメラと区別したい時のみＡＰＳカメラという）は、１３５タイプの写真フイルムパトローネに比べて小さいＩＸ２４０タイプのフイルムカートリッジを用いるため、従来のカメラよりコンパクトであることが特徴になっている。
【０００３】
前記ＡＰＳカメラには、写真フイルムを全てカートリッジ本体内に巻き戻した後に、スプールを引き続き巻き戻し方向に回転させ、使用状態表示板を、カートリッジの使用状態に応じた位置、すなわち「未使用」、「途中まで使用」、「全コマ撮影済み」のいずれかにセットするＶＥＩ（Visual Exposure Indicate）処理を行うＶＥＩ処理機構が組み込まれている。
【０００４】
ところが、カメラが高機能化されるにつれてプリント基板上に組み込まれる部品点数が増加し、部品の実装面積が増大するため、内蔵するプリント基板が大型化してきている。このプリント基板は、一般にシャッタボタンの下方に面が水平になるように設けられているから、プリント基板が大型化すると、カメラの厚みが増加し、コンパクト性を維持することが困難になってきている。
【０００５】
特に、前記ＶＥＩ処理機構は、使用状態表示板をカートリッジの使用状態に応じた位置に正確に停止させるために、使用状態表示板の回転角度の基準となる基準回転位置を検出するＶＥＩ処理用スイッチが必要である。このＶＥＩ処理用スイッチがプリント基板に設けられているから、このＶＥＩ処理用スイッチもプリント基板が大型化する一因になっている。
【０００６】
このため、プリント基板の更なる高密度化を図り、プリント基板１枚あたりに組み込める部品点数を増加させるようにしている。また、１枚のプリント基板の両面に部品を実装する技術も知られているが、大幅なコスト  になるという欠点がある。このため、２枚のプリント基板を用いて、プリント基板を二階建て構造としたカメラが知られている（特許文献１）。
【０００７】
特許文献１記載のカメラでは、上側のプリント基板には、シャッタボタン，ズームボタン、セルフタイマ切り替えボタン、フラッシュモード切り替えボタン、フィルムの途中巻き戻しボタン、表示用ＬＣＤ等を配置し、下側のプリント基板には、ＣＰＵ、ＡＦ用発光，受光素子、ＡＥ用受光素子、赤目軽減ランプ、セルフタイマ表示ランプ等が配置されている。
【０００８】
【特許文献１】特開平１０−１９０１８９号公報
【発明の開示】
【発明が解決しようとする課題】
【０００９】
上記特許文献１記載のカメラでは、ズームボタンがカメラの上面部に設けられているため、ズーミング操作がし難いとともに、カメラの高さが高くなるという問題点がある。
【００１０】
本発明は、ズーミング操作を犠牲にすることなく、厚みを薄く、かつ高さを低くしたカメラを提供することを目的とする。
【課題を解決するための手段】
【００１１】
本発明のカメラは、シャッタレリーズ時に押下操作されるシャッタボタンと、このシャッタボタンの押下方向に対して直交する方向に変位することにより撮影レンズのズーミングを行うズームレバーとを備えたカメラにおいて、前記シャッタボタンの下方に層状に基板を設け、前記基板のうち１枚の特定基板の上面に、前記シャッタボタンの押下操作によってオンされるレリーズスイッチと、前記ズームレバーの変位に連動して撮影レンズのズーミングを行うズームスイッチとを設けるとともに、前記ズームスイッチは、前記特定基板の上面に形成された複数個のプリント接片と、前記ズームレバーの変位に伴ってプリント接片上を摺動するブラシ状接片とからなることを特徴とする。
【００１２】
また、前記基板のうち前記特定基板とは別の層の基板に、フイルムカートリッジに組み込まれた使用状態表示板をフイルムカートリッジの使用状態に応じた位置にセットするＶＥＩ処理に用いられ、前記使用状態表示板の回転角度の基準位置を特定するＶＥＩ処理用スイッチを設けたことを特徴とする。
【発明の効果】
【００１３】
本発明のカメラは、シャッタボタンの下方に層状に設けた基板のうち１枚の特定基板の上面にレリーズスイッチとズームスイッチとを設けるとともに、ズームスイッチを複数個のプリント接片とこの上を摺動するブラシ状接片とから構成したので、部品の実装面積を十分に確保しながら、１枚の大きなプリント基板を用いる場合と比べて、カメラ本体の厚みを薄くできるとともに、カメラの高さ方向のサイズも小さくできる。
【００１４】
また、前記特定基板とは別の層の基板に使用状態表示板の回転角度の基準位置を特定するＶＥＩ処理用スイッチを設けたので、アドバンストフォトシステムに準拠したカメラのズーミング操作を犠牲にすることなく、カメラの厚みを薄く、かつ高さを低くできる。
【発明を実施するための最良の形態】
【００１５】
本発明のカメラの外観を示す図１において、カメラ１０は、周知のアドバンストフォトシステムに準拠している。カメラ１０のカメラ本体１１は、全体に丸みを帯びた形状をしている。また、カメラ本体１１の前部には、レンズバリア（図示せず）によって開閉されるズームレンズ１５が設けられている。
【００１６】
カメラ本体１１の右手で把持される部分は、樽状のグリップ部１６になっていて、その側部には、カートリッジ室１７（図２参照）の蓋を開閉するノブ１８が設けられている。なお、カートリッジ室１７は、グリップ部１６の内部に設けられ、ＩＸ２４０タイプのフイルムカートリッジが装填される。また、カートリッジ室１７を開閉する蓋は、グリップ部１６の下部（カメラ本体１１の底部）に設けられている。
【００１７】
カメラ本体１１のグリップ部１６側上部には、シャッタボタン２０が設けられている。このシャッタボタン２０の近傍でカメラ本体１１の背面上方部には、グリップ部１６を右手で把持した時、右手の親指で容易に操作できる位置にズームレバー２２が設けられている。
【００１８】
ズームレバー２２は、なんら操作していない状態では、バネ付勢によって左右のどちらにも傾かない中央のニュートラル位置にある。ズームレバー２２をバネ付勢に抗して左方に動かすと、ズームレバー２２が時計方向に回動して、ズームレンズ１５が望遠（Ｔ）側へズーミングされる。また、ズームレバー２２を反対側の右方へ動かすと、ズームレバー２２が反時計方向に回動して、ズームレンズ１５が広角（Ｗ）側へズーミングされる。また、ズームレバー２２に力を加えるのを止めると、ズームレンズ１５の焦点距離はそのまま維持された状態で、ズームレバー２２がバネ付勢によって中央のニュートラル位置に戻る。
【００１９】
カメラ本体１１内のシャッタボタン２０下方部の構成をカメラ本体１１の側方から示す図２において、カートリッジ室１７の上部１７ａの中央部には、円筒状突起部１７ｂが形成され、その中心部に形成された円形開口１７ｃには、フイルムカートリッジ２５のスプールに係合されるスプール駆動軸２７が挿入されている。このスプール駆動軸２７には、円板状の鍔部２８が一体に形成され、この鍔部２８の縁に沿って円形に形成された突条２８ａが、円筒状突起部１７ｂの上部に円形に形成された溝１７ｄに入り込んで、円形開口１７ｃを遮光する。
【００２０】
鍔部２８の上方には、鍔部２８をカートリッジ室１７の上部１７ａとの間に回動自在に挟む板状部材３０が、円筒状をした複数のスペーサ３１を介してカートリッジ室１７の上部１７ａにネジ止めされている。
【００２１】
板状部材３０の上面には、第１プリント基板３５が密接して取り付けられ、この第１プリント基板３５の上方には、第１プリント基板３５と所定の隙間だけ離間して、ほぼ円形状をした特定基板である第２プリント基板３６が円筒状をした複数のスペーサ３８を介して板状部材３０に取り付けられている。すなわち、第１プリント基板３５と第２プリント基板３６とは、二階建てのように層状をなしている。
【００２２】
板状部材３０及び第１プリント基板３５には、スプール駆動軸２７の上部が遊挿される円形開口３０ａ，３５ａが形成されている。そして、スプール駆動軸２７の上端部には、２つの円弧状をしたアーム接片４０ａ，４０ｂ（図３参照）を有する電気接片４０がネジ止めされ、スプール駆動軸２７と電気接片４０とは一体に回転する。なお、アーム接片４０ａ，４０ｂの各先端部の下面には、プリント接片３５ａ上を摺動する半球状をした小さい接点４２，４３が設けられている（図３参照）。
【００２３】
また、第１プリント基板３５の上面には、図３に示すように、ドーナッツ状をしたプリント接片３５ｂが形成されている。このプリント接片３５ｂの一部には、切欠き３５ｃが形成され、この内側に島のようなプリント接片３５ｄが形成されている。これらプリント接片３５ｂ，３５ｄと電気接片４０とは、周知のＶＥＩ処理用スイッチ４１を構成する。なお、図２には、図面の煩雑化を避けるためにプリント接片３５ｄを省略してある。
【００２４】
前記アーム接片４０ａの接点４２は、スプール駆動軸２７の回動角度に係わらず、常にプリント接片３５ｂに摺接している。一方のアーム接片４０ｂの接点４３は、スプール駆動軸２７の所定角度でのみプリント接片３５ｄに摺接する他、プリント接片３５ｄの前後では、プリント接片３５ｂに摺接し、プリント接片３５ｄと反対側の位置では、プリント接片３５ｂ，３５ｄのいずれにも非接触になる。
【００２５】
ＶＥＩ処理は、フイルムカートリッジ２５へのフイルムの巻き戻しを終了した後に、引き続きスプールを巻き戻し方向に回転させ、スプールの停止位置を制御して、フイルムカートリッジ２５の使用状態をセットする。このスプールの停止制御は、アーム接片４０ｂの接点４３がプリント接片３５ｄに摺接したスプールの回転角度を基準とし、そこからの給送モータの回転量を制御して行われる。なお、第１プリント基板３５上には、前記ＶＥＩ処理用スイッチ４１の他に、カメラ１０の全体を制御するマイクロコンピュータ，ＡＥ用測光装置，ＡＦ用測距装置，ストロボ装置のメインコンデンサなど各種の部品を実装してある。
【００２６】
第２プリント基板３６の上面には、円形のプリント接片３６ａが形成されている。また、第２プリント基板３６の上面には、プリント接片３６ａを跨ぐように、弾性を有する薄い導電性金属板から形成された楕円形状の電気接片４５がアーム部４５ａ，４５ｂを介して取り付けられ、プリント接片３６ａとの間にレリーズスイッチ４６を構成する。すなわち、シャッタボタン２０が押し下げられると、シャッタボタン２０の下部に形成された棒状突起２０ａが電気接片４５を押し、電気接片４５が弾性変形してプリント接片３６ａに接触される。この短絡信号が、カメラ１０全体を制御するマイクロコンピュータに入力され、マイクロコンピュータはシャッタ装置の駆動を開始する。
【００２７】
また、第２プリント基板３６の上面には、前記プリント接片３６ａの他に、図４に示すように、４個のプリント接片３６ｂ〜３６ｅが形成されている（図２では符号３６ｂ，３６ｃ，３６ｅを省略）。このプリント接片３６ｂ〜３６ｅと、これらに摺動されるほぼＴ字型をしたブラシ状接片４８とによってズームスイッチ５０が構成される。
【００２８】
前記ブラシ状接片４８は、ズームレバー２２の操作される端部２２ａと反対側の端部に固定されている。ズームレバー２２は、板状部材３０に垂直に立設された円柱状の回動中心軸５１を中心に回動自在に取り付けられている。回動中心軸５１は、ズームレバー２２の端部２２ａとブラシ状接片４８との中間部に設けられているので、ブラシ状接片４８はズームレバー２２の操作方向と反対方向へ回動する。また、ズームレバー２２は、端部２２ａを左右どちらに変位させても、この変位を止めた直後に、端部２２ａ及びブラシ状接片４８がニュートラル位置に戻るように、トーションバネ５２によって付勢されている。
【００２９】
ブラシ状接片４８の一端部４８ａは、プリント接片３６ｂに常に摺接しており、他端部４８ｂは、ズームレバー２２の回動に伴ってプリント接片３６ｃ〜３６ｅのいずれかに摺接される。なお、一端部４８ａ，他端部４８ｂは、それぞれ二股のブラシ形状に形成されている。また、プリント接片３６ｃ〜３６ｅは、広角（Ｗ）側へのズーミング，ニュートラル（ズーミングしない），望遠（Ｔ）側へのズーミングにそれぞれ対応しており、ズームレバー２２のニュートラル位置では、他端部４８ｂはプリント接片３６ｄに摺接している。
【００３０】
他端部４８ｂがプリント接片３６ｃに摺接している時には、ブラシ状接片４８を介してプリント接片３６ｂとプリント接片３６ｃとが短絡しており、マイクロコンピュータは、ズームレンズ１５を広角（Ｗ）側へズーミングする。また、他端部４８ｂがプリント接片３６ｄに摺接している時には、ブラシ状接片４８を介してプリント接片３６ｂとプリント接片３６ｄとが短絡しており、マイクロコンピュータは、ニュートラルであることを検知して、ズームレンズ１５のズーミングを行わない。また、他端部４８ｂがプリント接片３６ｅに摺接している時には、ブラシ状接片４８を介してプリント接片３６ｂとプリント接片３６ｅとが短絡しており、マイクロコンピュータは、ズームレンズ１５を望遠（Ｔ）側へズーミングする。
【００３１】
次に、上記実施形態の作用について説明する。シャッタボタン２０の下方部に第１プリント基板３５と第２プリント基板３６とを層状に設け、第１プリント基板３５には、ＶＥＩ処理用スイッチ４１やその他の各種部品を実装し、また第２プリント基板３６には、レリーズスイッチ４６とズームスイッチ５０を実装した。これにより、部品の実装面積を十分に確保しながら、１枚の大きなプリント基板を用いる場合と比べて、カメラ本体１１の厚みを薄くできる。また、小さな基板である第２プリント基板３６を付加するだけであるから、わずかなコスト上昇に抑えることができる。
【００３２】
また、ズームスイッチ５０は、第２プリント基板３６の上面に形成したプリント接片３６ｂ〜３６ｅと、これらに摺動されるほぼＴ字型をしたブラシ状接片４８とによって構成され、ブラシ状接片４８はズームレバー２２の端部２２ａと反対側の端部に固定されている。ズームスイッチ５０の高さ方向のサイズは、プリント接片３６ｂ〜３６ｅの厚みと、これに摺動するブラシ状接片４８の高さ方向のサイズとの合計で、例えば２ｍｍ程度であるから、カメラ１０の高さ方向のサイズを抑えるのに貢献できる。
【００３３】
カメラ本体１１を把持した右手の親指でズームレバー２２の端部２２ａを左右に動かすことにより、ブラシ状接片４８がズームレバー２２と一体に回動し、ブラシ状接片４８とプリント接片３６ｂ〜３６ｅとの接触状態が変化して、ズームレンズ１５のズーミングが行われる。
【００３４】
以上説明した実施形態では、層状のプリント基板を２枚としたが、本発明はこれに限定されることなく、例えば３枚でもよい。また、上記実施形態では、レリーズスイッチとズームスイッチを上層のプリント基板に設けたが、下層のプリント基板に設けてもよい。また、上記実施形態は、アドバンストフォトシステムに準拠したカメラであったが、本発明はこれに限定されることなく、例えば１３５タイプの写真フイルムパトローネを用いるカメラであってもよい。
【図面の簡単な説明】
【００３５】
【図１】本発明を実施したカメラの外観を示す斜視図である。
【図２】シャッタボタンの下方部の構成をカメラ本体の側方から示す説明図である。
【図３】第１プリント基板上のＶＥＩ処理用スイッチの構成を上方から示す説明図である。
【図４】第２プリント基板上に構成されたレリーズスイッチとズームスイッチの構成を上方から示す説明図である。
【符号の説明】
【００３６】
１０  カメラ
１１  カメラ本体
１７  カートリッジ室
２０  シャッタボタン
２２  ズームレバー
２７  スプール駆動軸
３０  板状部材
３５  第１プリント基板
３５ｂ，３５ｄ，３６ａ〜３６ｅ  プリント接片
３６  第２プリント基板
４０，４５  電気接片
４１  ＶＥＩ処理用スイッチ
４６  レリーズスイッチ
４８  ブラシ状接片
５０  ズームスイッチ
【図１】
2005274718.tif 000003
【図２】
2005274718.tif 000004
【図３】
2005274718.tif 000005
【図４】
2005274718.tif 000006